(57)【要約】【課題】  入浴中に小物やロッカーキーを保管し、かつ保管した小物の置き忘れや盗難を防止する脱衣籠を提供すること。【解決手段】  底部13の外側に底上げ用の突出部12を形成し、底部13の内側において蓋21を開閉できる貴重品などを収納する蓋付きの箱部２を設けた脱衣籠１である。また、底部13の外側に底上げ用の突出部12を形成し、底部13の下にあって、底上げ用の突出部12に開口した角筒62を形成し、この角筒62に抽出６を挿通したものである。箱部２の蓋21や抽出６の正面にキーで操作される錠３を設けたり、箱部の蓋21や抽出６を施錠する電磁錠５を設けて、この電磁錠５をテンキーにより入力された暗証番号や指紋認証装置により入力された指紋データにより施錠・解錠を制御することができる。【選択図】    図３
2010029638.tif 000002
【特許請求の範囲】
【請求項１】
底部の外側に底上げ用の突出部を形成し、底部の内側において蓋を開閉できる貴重品などを収納する蓋付きの箱部を設けたことを特徴とする脱衣籠。
【請求項２】
キーで操作される錠を設けたことを特徴とする請求項１に記載の脱衣籠。
【請求項３】
箱部の蓋を透明にして、内部を視認可能にしたことを特徴とする請求項１に記載の脱衣籠。
【請求項４】
箱部の蓋を施錠する電磁錠と、マイクロコンピュータと、籠部の開口部に設けられた暗証番号を入力するテンキー、施錠キーおよび解錠キーを有する操作盤とを具備することを特徴とする請求項１に記載の脱衣籠。
【請求項５】
箱部の蓋を施錠する電磁錠と、マイクロコンピュータと、籠部の開口部に設けられた指紋認証装置、施錠キーおよび解錠キーを有する操作盤とを具備することを特徴とする請求項１に記載の脱衣籠。
【請求項６】
底部の外側に底上げ用の突出部を形成し、底部の下にあって、底上げ用の突出部に開口した角筒を形成し、該角筒に貴重品などを収納する抽出を挿通したことを特徴とする脱衣籠。
【請求項７】
抽出の正面にキーで操作される錠を設けたことを特徴とする請求項６に記載の脱衣籠。
【請求項８】
抽出を施錠する電磁錠と、マイクロコンピュータと、抽出の正面に設けられた暗証番号を入力するテンキー、施錠キーおよび解錠キーを有する操作盤とを具備することを特徴とする請求項６に記載の脱衣籠。
【請求項９】
脱衣籠の一方の上端部を覆う覆板部と、該覆板部の下に形成されて、電磁錠、電子回路、電池などを収納する空間と、蝶番を介して回動される箱部とにより構成され、上記覆板部の表面に、暗証番号を入力するテンキー、施錠キー、解錠キー、指紋認証装置などを配置した操作盤を形成したことを特徴とする脱衣籠。
【発明の詳細な説明】
【技術分野】
【０００１】
この発明は、ゴルフ場、温泉などの浴場で使用する脱衣籠に関し、衣服などの他に身の回りの貴重品、時計、小物、ルームキー、ロッカーキーなど（以下、「貴重品」という）を保管する収納部を設けたものである。
【背景技術】
【０００２】
従来の脱衣籠は、入浴の際に脱いだ浴衣、肌着、衣服などを保管するもので、時計、指輪などの身の回りの貴重品を保管する区画を具備していなかった。
【０００３】
そこで、下記特許文献に開示されているように、衣服などを保管する収納部の他に小物を入れる抽出や棚を設けていた。
【先行技術文献】
【特許文献】
【０００４】
【特許文献１】実公昭５６−２２７５９号公報
【発明の開示】
【発明が解決しようとする課題】
【０００５】
このように、従来の脱衣籠においては、貴重品を保管する収納部が脱衣籠とは別個に設けられていたので、置き忘れることがあった。また、貴重品の場合には盗難のおそれもあった。
【０００６】
そこで、この発明の脱衣籠は、貴重品の置き忘れや盗難のおそれを解消するために考えられたものである。
【課題を解決するための手段】
【０００７】
この発明の脱衣籠は、底部の外側に底上げ用の突出部を形成し、底部の内側において蓋を開閉できる貴重品を収納する蓋付きの箱部を設けたものである。
【０００８】
また、この発明の脱衣籠の他の形態は、底部の外側に底上げ用の突出部を形成し、底部の下にあって、底上げ用の突出部に開口した角筒を形成し、この角筒に貴重品を収納する抽出を挿通したものである。
【０００９】
箱部の蓋や抽出の正面にキーで操作される錠を設けたり、箱部の蓋や抽出を施錠する電磁錠を設けて、この電磁錠をテンキーで入力された暗証番号や指紋認証装置で入力された指紋データにより施錠・解錠を制御してもよいのである。
【発明の効果】
【００１０】
この発明の脱衣籠によると、脱衣所における盗難の危険を減らすことができ、利用者も安心して入浴設備を利用でき、ひいては集客増をも見込むことができる。
【００１１】
ゴルフ場に限らず、銭湯、大浴場のあるホテル、スポーツクラブのシャワールーム、病院において診療・治療中に衣服を保管する籠などにも利用することができる。
【図面の簡単な説明】
【００１２】
【図１】この発明の脱衣籠の第１の実施形態を示す斜視図（ａ）および縦断面図（ｂ）、
【図２】第２の実施形態を示す斜視図（ａ）および縦断面図（ｂ）、
【図３】第３および第４の実施形態を示す斜視図（ａ）および縦断面図（ｂ）、
【図４】第５の実施形態を示す斜視図（ａ）および縦断面図（ｂ）、
【図５】第６の実施形態を示す斜視図（ａ）および縦断面図（ｂ）、
【図６】第５および第６の実施形態の脱衣籠１を棚に載せた状態を示す図、
【図７】第７の実施形態を示す平面図（ａ）および縦断面図（ｂ）、
【図８】第８の実施形態を示す平面図（ａ）および縦断面図（ｂ）である。
【発明を実施するための形態】
【００１３】
（第１の実施形態）
この発明の脱衣籠１は、図１の斜視図（ａ）および図１（ａ）の線ｂ−ｂに沿って切断した縦断面図（ｂ）に示すように、衣服を入れる籠部11と、この籠部11の底部13に形成した浅い箱部２と、この箱部２に設けた透明な板で作った蓋21とにより構成されて、箱部２の底が直接床に接触しないように、籠部11の底部の四隅または周囲に底上げ用の突出部12が形成されている。脱衣籠１の中には濡れた衣類を入れられることがあるので、箱部２の開口部周囲にゴムリングなどの防水手段が設けられている。
【００１４】
この脱衣籠としては、従来の籐籠のほかに合成樹脂を射出成型した籠などの各種の籠に適用することができる。
【００１５】
このように構成された脱衣籠１を入浴のために使用する際には、まず、箱部２の蓋21を開いて貴重品を入れたのち蓋21を閉じ、その上に脱いだ浴衣や衣服をいれて入浴する。
【００１６】
入浴が終わって、脱衣籠１に入れた浴衣や衣服を着用すると、脱衣籠１の底部13に設けた箱部２が現れて透明な蓋21を介して入れた小物やロッカーキーなどの貴重品を視認できるので、蓋21を開けて貴重品を取り出す。このように、箱部２の中を視認できるので取り忘れを防止できる。
【００１７】
錠を設けていなくとも、箱部２を取り付けた脱衣籠１であって、使用中は脱衣籠１の中に衣類が入れられているので、箱部２の中の小物やロッカーキーを取り出そうとすると、衣類を取り出すか掻き分ける必要があり、利用者以外の者が行うと不自然であり、好奇の視線に晒されるので、ある程度セキュリティの効果を見込むことができる。
【００１８】
（第２の実施形態）
第１の実施形態における箱部２の蓋21は無施錠であるが、この第２の実施形態においては、図２の斜視図（ａ）および図２（ａ）の線ｂ−ｂに沿って切断した縦断面図（ｂ）に示すように、開閉式の蓋21に錠３を取り付けたものである。この錠３は簡易なものでもよく、キーは、入浴中に無くさないように手首を通す紐または輪ゴムを取り付けておくと便利である。
【００１９】
（第３の実施形態）
この第３の実施形態においては、図３の斜視図（ａ）および図３（ａ）の線ｂ−ｂに沿って切断した縦断面図（ｂ）に示すように、箱部２に乾電池で動作する電磁錠５を設け、暗証番号を入力するテンキー、施錠キーおよび解錠キーを有し、マイクロコンピュータで制御される操作盤４を籠部11の開口部に設けたものである。
【００２０】
貴重品を箱部２の中に入れて蓋21を閉じて、暗証番号を入力して施錠キーを押すと施錠される。解錠する場合には、暗証番号を入力して解錠キーを押すと解錠されて中の小物やロッカーキーなどの貴重品を取り出すことができる。
【００２１】
箱部２の中に何も入れないで暗証番号により施錠して放置されると、その脱衣籠１の箱部２は使用不能になる。そこで、このような悪戯を防ぐために、箱部２の内壁または蓋21の内側に硬貨を保持するポケットおよび硬貨の存在により作動するマイクロスイッチを設け、このポケットに硬貨が保持されてマイクロスイッチが動作している場合に限り、施錠キーの操作を有効ならしめておくことにより悪戯を防止することができる。
【００２２】
（第４の実施形態）
この第４の実施形態においては、第３の実施形態と同様に、箱部２に乾電池で動作する電磁錠を設け、籠部11の開口部に取り付けたマイクロコンピュータで制御される操作盤４に指紋認証装置、施錠キーおよび解錠キーを設けたものである。
【００２３】
貴重品を箱部２の中に入れて蓋21を閉じて、指紋認証装置により指紋データを入力しながら施錠キーを押すと施錠される。解錠する場合には、指紋認証装置により指紋データを入力しながら解錠キーを押すと解錠されて中の小物やロッカーキーなどの貴重品を取り出すことができる。
【００２４】
この第４の実施形態においても、第３の実施形態と同様に、箱部２の中に何も入れないで指紋認証装置および施錠キーにより施錠して放置される悪戯を防ぐために、硬貨を保持するポケットおよび硬貨の存在により作動するマイクロスイッチを設けておけばよいのである。
【００２５】
（第５の実施形態）
この発明の第５の実施形態における脱衣籠１は、図４の斜視図（ａ）および図４（ａ）の線ｂ−ｂに沿って切断した縦断面図（ｂ）に示すように、衣服を入れる籠部11と、この籠部11の底部13の周囲に底上げ用の突出部12が形成されている。
【００２６】
この籠部11の底部13の下にあって、底上げ用の突出部12に開口した角筒62を形成し、この角筒62に抽出６を挿通したものである。そして、この抽出６の正面には、把手61と錠３を取り付けたものである。この錠３は簡易なものでもよく、キーは、入浴中に無くさないように手首を通す紐または輪ゴムを取り付けておくと便利である。
【００２７】
（第６の実施形態）
この第６の実施形態においては、図５の斜視図（ａ）および図５（ａ）の線ｂ−ｂに沿って切断した縦断面図（ｂ）に示すように、抽出６に乾電池で動作する電磁錠５を設け、抽出６の正面に暗証番号を入力するテンキー、施錠キーおよび解錠キーなどを有し、マイクロコンピュータで制御される操作盤４を設けたものである。
【００２８】
貴重品などを抽出６の中に入れて押し込み、暗証番号を入力して施錠キーを押すと施錠される。解錠する場合には、暗証番号を入力して解錠キーを押すと解錠されて中の小物やロッカーキーを取り出すことができる。
【００２９】
この第６の実施形態においても、第３の実施形態と同様に、抽出６の中に何も入れないで暗証番号を入力し、施錠して放置される悪戯を防ぐために、硬貨を保時するポケットおよび硬貨の存在により作動するマイクロスイッチを設けておけばよいのである。
【００３０】
第５および第６の実施形態においては、脱衣籠１の側面に抽出６を備えているので、図６に示すように、抽出６が正面を向くように棚７に載せて固定しておくことができる。
【００３１】
このように、複数の脱衣籠１を棚７に固定しておくと、脱衣籠１を持ち去られる虞がなく、抽出６を引き出したときに中を覗き易くなって小物の出し入れが容易である。また、棚７に脱衣籠１を固定すると、電池を使用することなく、コンセントを介して共通の電源から電力を供給するように構成することができる。
【００３２】
（第７の実施形態）
図７（ａ）の平面図および図７（ａ）の線ｂ−ｂに沿って切断した縦断面図（ｂ）に示すように、貴重品を収納する蓋付きの箱であって、暗証番号を入力するテンキー、施錠キー、解錠キー、指紋認証装置などを配置した操作盤４を端面に設けた貴重品保管庫10を作っておく。
【００３３】
このように汎用性のある貴重品保管庫10を予め用意しておき、既製の脱衣籠１に鋲111などにより固定して使用するものである。
【００３４】
（第８の実施形態）
図８（ａ）の平面図および図８（ａ）の線ｂ−ｂに沿って切断した縦断面図（ｂ）に示すように、脱衣籠１の一方の上端部を覆う覆板部８と、この覆板部８の下に形成されて、電磁錠５、マイクロコンピュータを含む電子回路、電池などを収納する空間と、蝶番24を介して回動される箱部22とにより構成され、覆板部８の表面には、暗証番号を入力するテンキー、施錠キー、解錠キー、指紋認証装置などを配置した操作盤４が形成されている。
【００３５】
箱部22には、貴重品を出し入れする開口部23が形成されており、箱部22の上面に電磁錠５と係合する穴があけられている。そして、蝶番24にはコイルスプリングを有するものを使用し、点線で図示するように箱部22を開く方向に賦勢させている。
【００３６】
貴重品を箱部22の中に入れたのち箱部22を回動させて閉じ、指紋認証装置により指紋データを入力するか、テンキーにより暗証番号を入力して、施錠キーを押すと施錠される。解錠する場合には、指紋認証装置を入力するか、テンキーにより暗証番号を入力して、解錠キーを押すと解錠されて箱部22が開き、中の貴重品を取り出すことができる。
【００３７】
以上で説明した各実施形態における箱部２および抽出６の底の隅部に丸みをつけておくと、小さい物の取り出しが容易である。
【符号の説明】
【００３８】
１  脱衣籠
11  籠部
12  底上げ用の突出部
13  底部
２  箱部
21  蓋
22  箱部
23  開口部
３  錠
４  操作盤
５  電磁錠
６  抽出
７  棚
８  覆板部
【図１】
2010029638.tif 000003
【図２】
2010029638.tif 000004
【図３】
2010029638.tif 000005
【図４】
2010029638.tif 000006
【図５】
2010029638.tif 000007
【図６】
2010029638.tif 000008
【図７】
2010029638.tif 000009
【図８】
2010029638.tif 000010